(57)【要約】【課題】軒樋から竪樋への落ち葉やごみの流入を防ぎ、高排水性能を妨げない落ち葉除け部材を提供する。【解決手段】被固定面に固定される取付け部２０と、前記取付け部に立設され、軒樋を係止して吊持する支持アーム２１と、前記支持アームに設けられ前記軒樋内に位置する、縦方向に長い所定幅の複数の隙間を有する落ち葉除け３とを備える。【選択図】図１
2013076233.tif 000002
【特許請求の範囲】
【請求項１】
被固定面に固定される取付け部と、
前記取付け部に立設され、軒樋を係止して吊持する支持アームと、
前記支持アームに設けられ前記軒樋内に位置する、縦方向に長い所定幅の複数の隙間を有する落ち葉除けと、
を備えることを特徴とする落ち葉除け部材。
【請求項２】
前記落ち葉除けは、櫛歯状部材であることを特徴とする請求項１記載の落ち葉除け部材。
【請求項３】
前記櫛歯状部材は、雨水の流れ方向に対して逆スロープ状に傾斜するように設けられていることを特徴とする請求項２記載の落ち葉除け部材。
【請求項４】
前記落ち葉除けは、所定の隙間をもって配置された複数の板状部材であることを特徴とする請求項１記載の落ち葉除け部材。
【請求項５】
前記板状部材の雨水の流入側の側面は、雨水の流れ方向に対して逆スロープ状の傾斜面であることを特徴とする請求項４記載の落ち葉除け部材。
【発明の詳細な説明】
【技術分野】
【０００１】
本発明は、軒樋に用いられる落ち葉除け部材に関するものである。
【背景技術】
【０００２】
近年省資源で大量の雨水を排水可能なシステムへの要望が高まっている。特に雨樋においては径の細い竪樋を用い、いわゆるサイホンの原理を利用して排水を行なうサイホン式高排水システムが提案されている。この高排水システムにおいては、落ち葉をはじめとするごみの竪樋への流入により管詰まりが生じる危険性が高いため落ち葉除け部材は必須である。
【０００３】
従来の落ち葉除け部材には、集水器の軒樋差込口に櫛歯状の部材を配置し落ち葉が集水器内に流れ込むのを防止するものや（特許文献１参照）、軒樋の開口部を落ち葉除けネットで覆い軒樋に落ち葉が侵入するのを防止するもの（特許文献２参照）が存在する。
【先行技術文献】
【特許文献】
【０００４】
【特許文献１】特開２００２−３１７５３４号公報
【特許文献２】特開２０００−８７５１９号公報
【発明の概要】
【発明が解決しようとする課題】
【０００５】
しかし上述の集水器の軒樋差込口に櫛歯状の部材を配置するものは、集水器への落ち葉の流入を防止することはできるが、堆積した落ち葉が徐々に高さを増し排水の妨げになる。また軒樋の開口部を落ち葉除けネットで覆うものは、施工に時間と手間がかかり多くの資材が必要となり高コストであった。
【０００６】
本発明の目的は、軒樋から竪樋への落ち葉やごみの流入を防ぎ、高排水性能を妨げない落ち葉除け部材を提供することである。
【課題を解決するための手段】
【０００７】
本発明の落ち葉除け部材は、被固定面に固定される取付け部と、前記取付け部に立設され、軒樋を係止して吊持する支持アームと、前記支持アームに設けられ前記軒樋内に位置する、縦方向に長い所定幅の複数の隙間を有する落ち葉除けと、を備えることを特徴とする。
【０００８】
また本発明の落ち葉除け部材は、前記落ち葉除けが櫛歯状部材であることを特徴とする。
【０００９】
また本発明の落ち葉除け部材は、前記櫛歯状部材が、雨水の流れ方向に対して逆スロープ状に傾斜するように設けられていることを特徴とする。
【００１０】
また本発明の落ち葉除け部材は、前記落ち葉除けが所定の隙間をもって配置された複数の板状部材であることを特徴とする。
【００１１】
また本発明の落ち葉除け部材は、前記板状部材の雨水の流入側の側面が、雨水の流れ方向に対して逆スロープ状の傾斜面であることを特徴とする。
【発明の効果】
【００１２】
本発明によれば、軒樋から竪樋への落ち葉やごみの流入を防ぎ、高排水性能を妨げない落ち葉除け部材を提供することができる。
【図面の簡単な説明】
【００１３】
【図１】第１の実施の形態に係る落ち葉除け部材の斜視図である。
【図２】第２の実施の形態に係る落ち葉除け部材の斜視図である。
【発明を実施するための形態】
【００１４】
以下、図面を参照して、本発明の実施の形態に係る落ち葉除け部材について説明する。図１は第１の実施の形態に係る落ち葉除け部材１の斜視図である。葉除け部材１は軒樋の支持具として用いられる樹脂製の吊具２に軒樋に侵入した落ち葉を捕捉する落ち葉除け３を設けたものである。
【００１５】
吊具２は取付け部２０と支持アーム２１を有し、取付け部２０は図示しない釘またはビスなどによって建物の鼻隠し板などの被固定面に固定される。支持アーム２１は取付け部２０に立設されており軒樋を係止して吊持する。
【００１６】
落ち葉除け３は支持アーム２１上に設けられた櫛歯状部材３０である。即ち櫛歯状部材３０は縦方向に長い所定幅の複数の隙間を有している。櫛歯状部材３０の下部は軒樋内において、雨水の流れ方向に対して逆スロープ状に傾斜するように設けられている。また、櫛歯状部材３０の上部は支持アーム２１上において上方に伸びるように折り曲げられている。
【００１７】
この第１の実施の形態に係る落ち葉除け部材１は軒樋の支持具として用いられるため、軒樋を吊持するために所定の間隔で設置される。従って、軒樋内に落ち葉が侵入した場合には、所定の間隔で設置されている複数の落ち葉除け部材１により落ち葉を捕捉することができるため、落ち葉が堆積する箇所を分散することができる。また落ち葉は、雨水の流れにより逆スロープ状に傾斜するように設けられた櫛歯状部材３０の傾斜面に沿って上方に押し上げられた位置で捕捉されるため、櫛歯状部材３０の下部の隙間は閉塞されず雨水の流れを阻害しない。
【００１８】
また、落ち葉が雨水の流れにより櫛歯状部材の傾斜面に沿って支持アーム２１上まで押し上げられた場合には、上方に伸びるように折り曲げられている櫛歯状部材３０の上部により落ち葉が止められ支持アーム２１上に堆積し、軒樋内に再度侵入するのを防止することができる。
【００１９】
図２は第２の実施の形態に係る落ち葉除け部材１０の斜視図である。落ち葉除け部材１０は軒樋の支持具として用いられる樹脂製の吊具２に軒樋に侵入した落ち葉を捕捉する複数の板状部材から構成される落ち葉除け３２を設けたものである。なお、第２の実施の形態に係る落ち葉除け部材１０は、第１の実施の形態に係る落ち葉除け部材１の櫛歯状部材３０により構成される落ち葉除け３を複数の板状部材３２により構成される落ち葉除け３に変更したものである。従って、第１の実施の形態と同一の構成については詳細な説明を省略し、第１の実施の形態と同一の構成には同一の符号を用いて説明を行なう。
【００２０】
落ち葉除け部材１０は、吊具２の支持アーム２１に設けられた、所定の間隔で配置された複数の板状部材３２により構成され、板状部材３２間に縦方向に長い所定幅の複数の隙間が形成されている。ここで板状部材３２は台形形状を有しているため、軒樋内に位置させた場合に雨水の流入側の側面は、雨水の流れ方向に対して逆スロープ状の傾斜面となっている。
【００２１】
この第２の実施の形態に係る落ち葉除け部材１０は軒樋の支持具として用いられるため、軒樋を吊持するために所定の間隔で設置される。従って、軒樋内に落ち葉が侵入した場合には、所定の間隔で設置されている複数の落ち葉除け部材１０により落ち葉を捕捉することができるため、落ち葉が堆積する箇所を分散することができる。また落ち葉は、雨水の流れにより複数の板状部材３２の逆スロープ状の傾斜面に沿って上方に押し上げられた位置で捕捉されるため、複数の板状部材３２の下部の隙間は閉塞されず雨水の流れを阻害しない。
【００２２】
更に、上述の各実施の形態においては、落ち葉は落ち葉除け部材１，１０により捕捉され竪樋に流れ込むのを防止することができるため、特に径の細い竪樋を用いて排水する、サイホンの原理を利用したサイホン式高排水システムに有効に用いられる。
【００２３】
また上述の各実施の形態に係る落ち葉除け部材を用いることにより、従来の軒樋施工と同様に軒樋の施工を行うことができ、また施工済みの軒樋の吊具を交換することも可能である。
【００２４】
なお、第1の実施の形態において、支持アーム２１上において櫛歯状部材３０の下部が上方に回動する回動軸を設けても良い。この場合には、地上から棒状の部材などで櫛歯状部材３０の上方に折れ曲がった部分を押し下げることにより櫛歯状部材３０に堆積している落ち葉を取り除くことができる。
【符号の説明】
【００２５】
１，１０…落ち葉除け部材、２…吊具、３…落ち葉除け、２０…取付け部、２１…支持アーム、３０…櫛歯状部材、３２…板状部材
【図１】
2013076233.tif 000003
【図２】
2013076233.tif 000004